(57)【要約】【課題】内部に粉塵が侵入することを防止できる光学部品用筐体、およびこの光学部品用筐体を備えたプロジェクタを提供すること。【解決手段】光学部品用筐体において、部品収納部材５は、開口５Ａの外側に、蓋状部材に対向し、かつ、ねじが取り付けられる穴５３４１が形成された固定面５３４Ａ〜５３４Ｅを有している。この固定面５３４Ａ〜５３４Ｅの開口５Ａ側の端縁には、蓋状部材が部品収納部材５に固定される際に、蓋状部材を支持し、かつ、固定面５３４Ａ〜５３４Ｅと開口５Ａとを仕切るリブ５３２１が立設されている。これにより、蓋状部材が部品収納部材５にねじ固定される際に、固定面５３４Ａ〜５３４Ｅと開口５Ａとを仕切ることができ、穴５３４１から発生する粉塵が光学部品用筐体内に侵入することを防ぐことができる。【選択図】図３
2008089864.tif 000002
【特許請求の範囲】
【請求項１】
入射光束を画像情報に応じて変調して光学像を形成する光変調装置に光源から射出された光束を導く複数の光学部品を収納し、前記複数の光学部品を所定の照明光軸上に配置する光学部品用筐体であって、
前記複数の光学部品を内部に収納するための開口が形成された部品収納部材と、
前記部品収納部材にねじにより固定され、前記開口を閉塞する蓋状部材とを備え、
前記部品収納部材は、前記開口の外側に、前記蓋状部材に対向し、かつ、前記ねじが取り付けられる穴が形成された固定面を有し、
前記固定面の前記開口側の端縁には、前記蓋状部材が前記部品収納部材に固定される際に、前記蓋状部材を支持し、かつ、前記固定面と前記開口とを仕切るリブが立設されていることを特徴とする光学部品用筐体。
【請求項２】
請求項１に記載の光学部品用筐体において、
前記部品収納部材に前記蓋状部材が固定された際に、前記固定面と前記蓋状部材との間には隙間が形成され、
前記隙間は、前記部品収納部材の外側と連通していることを特徴とする光学部品用筐体。
【請求項３】
光源と、前記光源から射出された光束を画像情報に応じて変調する光変調装置と、入射光束を光学的に変換する光学部品と、変調された光束を投射する投射光学装置とを備えたプロジェクタであって、
請求項１または請求項２に記載の光学部品用筐体を備え、
前記光学部品は、前記光学部品用筐体内に配置されていることを特徴とするプロジェクタ。
【発明の詳細な説明】
【技術分野】
【０００１】
本発明は、入射光束を画像情報に応じて変調して光学像を形成する光変調装置に光源から射出された光束を導く複数の光学部品を収納し、前記複数の光学部品を所定の照明光軸上に配置する光学部品用筐体、および、この光学部品用筐体を備えたプロジェクタに関する。
【背景技術】
【０００２】
従来、光源と、光源から射出された光束を画像情報に応じて変調する光変調装置と、変調された光束を投射する投射光学装置とを備えたプロジェクタが知られている。このようなプロジェクタには、入射光束を光学的に変換するものや、光源から射出された光束を光変調装置に導くものなどの複数の光学部品が用いられており、これらの光学部品は、光学部品用筐体内に収納配置されている。
このような光学部品用筐体として、内部に照明光軸が設定され、この照明光軸上に光学部品を収納配置する光学部品用筐体が知られている（例えば、特許文献１参照）。
【０００３】
前記特許文献１に記載の光学部品用筐体は、合成樹脂製であり、光学部品を内部に形成された溝部に嵌め込むための開口を上方に有する箱型の部品収納部材と、この部品収納部材の開口を覆う蓋状部材とを備えている。部品収納部材の側壁の上部には、ねじを取り付けるための穴が形成された固定面が複数設けられている。また、側壁の上端縁に沿ってリブが立設されている。そして、蓋状部材は、前記開口を塞ぎ、かつ、固定面を覆うように部品収納部材に被せられ、当該リブで支持され、部品収納部材に形成された穴に対応する位置にそれぞれ形成された孔をねじが挿通し、当該穴に取り付けられることにより、蓋状部材と部品収納部材とが固定される。
【０００４】
【特許文献１】特開２００５−２７５０９０号公報
【発明の開示】
【発明が解決しようとする課題】
【０００５】
しかしながら、前記特許文献１に記載の光学部品用筐体では、蓋状部材を支持するリブが固定面の外側に設けられているため、蓋状部材が部品収納部材に固定された際、固定面は光学部品用筐体内部の空間に位置することになる。このため、蓋状部材を部品収納部材にねじ止めする際に穴から発生する粉塵が、光学部品用筐体の内部に入り込んで浮遊し、光学部品に付着することがある。このような場合、投射画像の輝度の低下が引き起こされる、あるいは、投射画像中にこの粉塵が影として映る等の問題が生じていた。
【０００６】
本発明の目的は、内部に粉塵が侵入することを防止できる光学部品用筐体、およびこの光学部品用筐体を備えたプロジェクタを提供することにある。
【課題を解決するための手段】
【０００７】
本発明の光学部品用筐体は、入射光束を画像情報に応じて変調して光学像を形成する光変調装置に光源から射出された光束を導く複数の光学部品を収納し、前記複数の光学部品を所定の照明光軸上に配置する光学部品用筐体であって、前記複数の光学部品を内部に収納するための開口が形成された部品収納部材と、前記部品収納部材にねじにより固定され、前記開口を閉塞する蓋状部材とを備え、前記部品収納部材は、前記開口の外側に、前記蓋状部材に対向し、かつ、前記ねじが取り付けられる穴が形成された固定面を有し、前記固定面の前記開口側の端縁には、前記蓋状部材が前記部品収納部材に固定される際に、前記蓋状部材を支持し、かつ、前記固定面と前記開口とを仕切るリブが立設されていることを特徴とする。
【０００８】
本発明によれば、固定面と、開口端縁との間には、固定面と開口とを仕切るリブが立設されている。これによれば、蓋状部材が部品収納部材に固定される際に、このリブにより、蓋状部材が支持され、固定面と開口とが仕切られるので、ねじ固定の際に固定面に形成されたねじが取り付けられる穴から発生する粉塵が光学部品用筐体内に侵入することを防ぐことができる。
【０００９】
本発明では、前記部品収納部材に前記蓋状部材が固定された際に、前記固定面と前記蓋状部材との間には隙間が形成され、前記隙間は、前記部品収納部材の外側と連通していることが好ましい。
ここで、固定面と蓋状部材とが当接する構成の場合、蓋状部材を部品収納部材にねじ固定した際に固定面の穴から発生する粉塵は、固定面と蓋状部材との間に挟まってしまう。このような場合、分解のため蓋状部材を開けた際に、この粉塵が飛散して光学部品に付着してしまう等の問題が生じることがある。
これに対し、本発明では、部品収納部材に蓋状部材が固定された際に、固定面と蓋状部材との間には隙間が形成されるので、ねじ固定の際に固定面の穴から発生した粉塵は、当該隙間に堆積することとなる。そして、この隙間は、部品収納部材の外側と連通しているので、部品収納部材と蓋状部材とをねじ固定した後、これらの粉塵をエアブロー等で容易に除去することができる。従って、光学部品用筐体の内部に粉塵が侵入することを確実に防止することができる。
【００１０】
本発明のプロジェクタは、光源と、前記光源から射出された光束を画像情報に応じて変調する光変調装置と、入射光束を光学的に変換する光学部品と、変調された光束を投射する投射光学装置とを備えたプロジェクタであって、前述の光学部品用筐体を備え、前記光学部品は、前述の光学部品用筐体内に配置されていることを特徴とする。
本発明によれば、前述の光学部品用筐体と同様の効果を享受できる。
また、これにより、光学部品用筐体内に配置された光学部品に粉塵が付着することを防ぐことができるので、形成される画像の輝度の低下を抑えることができ、また、粉塵の影が投射画像に含まれる等の画像劣化を防ぐことができる。
【発明を実施するための最良の形態】
【００１１】
以下、本発明の一実施形態を図面に基づいて説明する。
（１）プロジェクタ１の全体構成
図１は、本実施形態に係るプロジェクタ１の概略構成を示す模式図である。
本実施形態のプロジェクタ１は、光源から射出される光束を画像情報に応じて変調して光学像を形成し、形成した光学像をスクリーン（図示省略）上に拡大投射するものである。このプロジェクタ１は、図１に示すように、外装筺体２と、投射レンズ３と、光学ユニット４等を備えている。
なお、図１において、図示は省略するが、外装筺体２内における投射レンズ３および光学ユニット４以外の空間には、プロジェクタ１内部を冷却する冷却ファン等で構成される冷却ユニット、プロジェクタ１内部の各構成部材に電力を供給する電源ユニット、およびプロジェクタ１全体を制御する制御ユニット等が配置されるものとする。
【００１２】
外装筺体２は、合成樹脂等から構成され、図１に示すように、投射レンズ３および光学ユニット４等を内部に収納配置する全体略直方体状に形成されている。この外装筺体２は、図示は省略するが、プロジェクタ１の天面、前面、背面、および左右両側面をそれぞれ構成するアッパーケースと、プロジェクタ１の底面、前面、および背面をそれぞれ構成するロアーケースとで構成され、前記アッパーケースおよび前記ロアーケースは互いにねじ等で固定されている。なお、外装筺体２は、合成樹脂等に限らず、その他の材料にて形成してもよく、例えば、金属等により構成してもよい。
投射レンズ３は、光学ユニット４にて形成された光学像（カラー画像）を図示しないスクリーン上に拡大投射する投射光学装置である。この投射レンズ３は、筒状の鏡筒３１（図２参照）内に複数のレンズが収納された組レンズとして構成されている。
【００１３】
（２）光学ユニット４の構成
光学ユニット４は、前述の制御ユニットによる制御の下、光源から射出された光束を、光学的に処理して画像情報に対応した光学像（カラー画像）を形成するユニットである。この光学ユニット４は、図１に示すように、外装筺体２の背面に沿って延出するとともに、外装筺体２の側面に沿って延出する平面視略Ｌ字形状を有している。
この光学ユニット４は、光源装置４０と、照明光学装置４１と、色分離光学装置４２と、リレー光学装置４３と、電気光学装置４４と、これら光学部品４１〜４４を内部に収納配置するとともに、光源装置４０および投射レンズ３を所定位置で支持固定する光学部品用筐体４５とを備えている。
【００１４】
光源装置４０は、図１に示すように、放射状の光線を射出する光源ランプ４０１と、当該光源ランプ４０１から射出された放射光を反射して、所定位置に収束させるリフレクタ４０２と、当該リフレクタ４０２にて収束される光束を平行化する平行化レンズ４０３とを備えて構成されている。この光源装置４０は、ランプハウジング４０４に収納配置されることで、光学部品用筐体４５に対する所定位置（光源装置４０から射出される光束の中心軸と光学部品用筐体内４５に設置された照明光軸Ａとが一致する位置）に位置決め配置される。
ここで、光源ランプ４０１としては、ハロゲンランプやメタルハライドランプ、または高圧水銀ランプが多用される。また、リフレクタ４０２は、図１では、楕円面リフレクタで構成されているが、光源ランプ４０１から射出された光束を略並行化して反射するパラボラリフレクタで構成されていてもよい。この場合には、平行化レンズを省略する。さらに、リフレクタ４０２は、自由曲面リフレクタで構成されていてもよい。
【００１５】
照明光学装置４１は、光源装置４０から射出される光束を複数の部分光束に分割し、電気光学装置４４を構成する後述する液晶パネル４４１の画像形成領域をほぼ均一に照明するための均一照明光学系である。この照明光学装置４１は、第１レンズアレイ４１２と、第２レンズアレイ４１３と、偏光変換素子４１４と、重畳レンズ４１５とを備えて構成されている。
【００１６】
第１レンズアレイ４１２は、照明光軸Ａに略直交する面内に複数の小レンズが、マトリクス状に配列された構成を有している。これら小レンズは、照明光軸Ａ方向から見て略矩形状の輪郭を有している。そして、これら各小レンズは、光源装置４０から射出される光束を、複数の部分光束に分割する。
【００１７】
第２レンズアレイ４１３は、第１レンズアレイ４１２と同様の構成を有しており、第１レンズアレイ４１２の小レンズに対応する小レンズがマトリクス状に配列された構成を有している。この第２レンズアレイ４１３は、重畳レンズ４１５とともに、第１レンズアレイ４１２の各小レンズの像を、電気光学装置４４の後述する液晶パネル４４１の画像形成領域に結像させる機能を有している。
【００１８】
偏光変換素子４１４は、第２レンズアレイ４１３と重畳レンズ４１５との間に配置され、第２レンズアレイ４１３からの光を略１種類の直線偏光に変換するものである。
具体的に、偏光変換素子４１４によって略１種類の直線偏光に変換された各部分光は、重畳レンズ４１５によって最終的に後述する液晶パネル４４１の画像形成領域にほぼ重畳される。偏光光を変調するタイプの液晶パネルを用いたプロジェクタでは、１種類の偏光光しか利用できないため、ランダムな偏光光を発する光源装置４０からの光の略半分を利用できない。このため、偏光変換素子４１４を用いることで、光源装置４０からの射出光を略１種類の直線偏光に変換し、電気光学装置４４での光の利用効率を高めている。
【００１９】
色分離光学装置４２は、２枚のダイクロイックミラー４２１，４２２と、反射ミラー４２３とを備え、ダイクロイックミラー４２１，４２２により照明光学装置４１から射出された複数の部分光束を赤（Ｒ）、緑（Ｇ）、青（Ｂ）の３色の色光に分離する。
リレー光学装置４３は、入射側レンズ４３１、リレーレンズ４３３、および反射ミラー 
４３２，４３４を備え、色分離光学装置４２で分離された赤色光を赤色光用の液晶パネル４４１Ｒまで導く機能を有している。
【００２０】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４１９を通って青色光用の液晶パネル４４１Ｂに達する。このフィールドレンズ４１９は、第２レンズアレイ４１３から射出された各部分光束をその中心軸（主光線）に対して平行な光束に変換する。他の緑色光および赤色光用の液晶パネル４４１Ｇ，４４１Ｒの光入射側に設けられたフィールドレンズ４１９も同様である。
【００２１】
ダイクロイックミラー４２１を透過した赤色光と緑色光のうち、緑色光はダイクロイックミラー４２２によって反射し、フィールドレンズ４１９を通って緑色光用の液晶パネル４４１Ｇに達する。一方、赤色光はダイクロイックミラー４２２を透過してリレー光学装置４３を通り、さらにフィールドレンズ４１９を通って赤色光用の液晶パネル４４１Ｒに達する。なお、赤色光にリレー光学装置４３が用いられているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１９に伝えるためである。なお、リレー光学装置４３には、３つの色光のうち赤色光を通す構成としたが、これに限らず、例えば、青色光を通す構成としてもよい。
【００２２】
電気光学装置４４は、色分離光学装置４２から射出される３つの色光を画像情報に応じてそれぞれ変調し、変調した各色光を合成して光学像（カラー画像）を形成する。
この電気光学装置４４は、図１に示すように、光変調装置としての液晶パネル４４１（赤色光用の液晶パネルを４４１Ｒ、緑色光用の液晶パネルを４４１Ｇ、および青色光用の液晶パネルを４４１Ｂとする）と、これら各液晶パネル４４１の光束入射側にそれぞれ配置される３つの入射側偏光板４４２と、各液晶パネル４４１の光束射出側にそれぞれ配置される３つの視野角補償板４４３と、３つの視野角補償板４４３の光束射出側にそれぞれ配置される３つの射出側偏光板４４４と、色合成光学装置としてのクロスダイクロイックプリズム４４５とを備えて構成されている。
【００２３】
入射側偏光板４４２には、偏光変換素子４１４で偏光方向が略一方向に揃えられた各色光が入射し、当該入射側偏光板４４２は、入射した光束のうち、偏光変換素子４１４で揃えられた光束の偏光方向と略同一方向の偏光光のみ透過させ、その他の光束を吸収するものである。この入射側偏光板４４２は、例えば、サファイアガラスまたは水晶等の透光性基板上に偏光層が貼付された構成を有している。
光変調装置としての液晶パネル４４１は、詳しい図示を省略するが、一対の透明なガラス基板間に電気光学物質である液晶素子が密閉封入した構成を有し、前述の制御ユニットからの駆動信号に応じて、液晶素子の配向状態が制御され、入射側偏光板４４２から射出された偏光光束の偏光方向を変調する。
【００２４】
視野角補償板４４３は、フィルム状に形成され、液晶パネル４４１に光束が斜方入射した場合（パネル面の法線方向に対して傾斜して入射した場合）の当該液晶パネル４４１で生じる複屈折による常光と異常光との間に生じる位相差を補償する。この視野角補償板４４３は、負の一軸性を有する光学異方体であり、その光学軸がフィルム面内の所定方向に向きかつ、該フィルム面から面外方向に所定角度傾斜するように配向している。
この視野角補償板４４３としては、例えば、トリアセチルセルロース（ＴＡＣ）等の透明支持体上に配向層を介してディスコティック（円盤状）化合物層を形成したもので構成でき、ＷＶフィルム（富士写真フィルム社製）を採用できる。
【００２５】
射出側偏光板４４４は、液晶パネル４４１から射出され視野角補償板４４３を介した光束のうち、入射側偏光板４４２における光束の透過軸と直交する偏光方向を有する光束のみ透過させ、その他の光束を吸収するものである。
クロスダイクロイックプリズム４４５は、射出側偏光板４４４から射出された色光毎に変調された変調光を合成して光学像（カラー画像）を形成する。このクロスダイクロイックプリズム４４５は、４つの直角プリズムを貼り合わせた平面視正方形状をなし、直角プリズム同士を貼り合わせた界面には、２つの誘電体多層層が形成されている。これら誘電体多層層は、投射レンズ３と対向する側（Ｇ色光側）に配置された射出側偏光板４４４を介した色光を透過し、残り２つの射出側偏光板４４４（Ｒ色光側およびＢ色光側）を介した色光を反射する。このようにして、各入射側偏光板４４２、各液晶パネル４４１、各視野角補償板４４３、および各射出側偏光板４４４にて変調された各色光が合成されてカラー画像が形成される。
【００２６】
（３）光学部品用筐体４５の構成
図２は、光学部品用筐体４５の斜視図、図３は、部品収納部材５の斜視図である。
図２および図３に示すように、光学部品用筐体４５は、外装筺体２の背面に沿って延出するとともに、外装筺体２の側面に沿って延出する平面視略Ｌ字状に形成された箱状の部材である。この光学部品用筐体４５は、上方に各光学部品４１〜４４を内部に嵌め込むための開口５Ａが形成され、当該開口５Ａを介して各光学部品４１〜４４が溝部５３３（図３参照）に嵌め込まれる断面略Ｕ字状の部品収納部材５と、この部品収納部材５の開口５Ａを覆って部品収納部材５内を透過する光束が開口５Ａを介して外部に漏れないようにする蓋状部材６とを備えている。これら部品収納部材５および蓋状部材６は、合成樹脂製の一体成形品であり、射出成形により形成されている。
【００２７】
部品収納部材５には、図２および図３に示すように、光源装置４０を支持固定する光源装置支持部５１と、投射レンズ３を保持するレンズ保持部５２と、光学部品４１〜４４が収納される部品収納部５３とが一体的に形成されている。
光源装置支持部５１は、部品収納部５３の一端側の側面に形成され、照明光軸Ａに直交する面内に延びる平面視略矩形の板体５１１と、この板体５１１の両端部から光源装置４０の光射出方向基端側に延びた一対の支持部５１２とを備えている。板体５１１には、光源装置４０から射出された光束を照明光学装置４１に入射させるための平面視略矩形の開口５１３が形成されている。そして、光源装置４０は、当該光源装置４０を収納するランプハウジング４０４の両側からそれぞれ水平方向に突出するハウジング側支持部４０４１が前記支持部５１２にねじ固定されることで、部品収納部５３に取り付けられ、射出光束の中心軸が照明光軸Ａに一致する位置に配置される。
【００２８】
レンズ保持部５２は、図２および図３に示すように、部品収納部５３の他端側の側面に形成されている。このレンズ保持部５２は、投射レンズ３による光学像の投射側から見て平面視略矩形状に形成され、中央には略円形の開口５２１が穿設されている。投射レンズ３は、筒状の鏡筒３１の基端側がこの開口５２１に嵌められ、開口５２１の周囲に形成された複数の孔５２２に固定ピン５２３が挿入されることにより、部品収納部５３に取り付けられ、投射レンズ３の光軸が照明光軸Ａに一致する位置に配置される。
【００２９】
部品収納部５３は、上方に開口５Ａが形成された断面略Ｕ字状の部材であり、図３に示すように、平面視略Ｌ字状の底面部５３１と、当該底面部５３１の両端から垂直に起立する側壁５３２とを備えている。側壁５３２は、光源装置支持部５１の板体５１１の光源装置４０側から見て左側（図３中左側）と、レンズ保持部５２の投射レンズ３側から見て右側（図３中奥側）とを結ぶ側壁５３２Ａと、光源装置支持部５１の板体５１１の光源装置４０側から見て右側（図３中右側）と、レンズ保持部５２の投射レンズ３側から見て左側（図３中手前側）とを結ぶ側壁５３２Ｂとから構成されている。
この部品収納部５３には、上下方向に沿って複数のスリット状の溝部５３３が形成されており、各光学部品４１〜４４は、開口５Ａを介して上方からこれらの溝部５３３に嵌め込まれ、接着剤で固定されることにより、所定の照明光軸Ａ上に配置される。
【００３０】
部品収納部５３の側壁５３３の上部には、５つの固定面５３４Ａ，５３４Ｂ，５３４Ｃ，５３４Ｄ，５３４Ｅが形成されている。具体的には、固定面５３４Ａは、第１レンズアレイ４１２が挿入される溝部５３３Ａと、第２レンズアレイ４１３が挿入される溝部５３３Ｂとの間に位置する側壁５３２のうち、側壁５３２Ａの上部に形成され、固定面５３４Ｂは、側壁５３２Ｂの上部に形成されている。
【００３１】
また、固定面５３４Ｃは、ダイクロイックミラー４２２が挿入される溝部５３３Ｃと、入射側レンズ４３１が挿入される溝部５３３Ｄとの間に位置する側壁５３２Ａの上部に形成され、固定面５３４Ｄは、青色光を反射する反射ミラー４２３が挿入される溝部５３３Ｅの外側に設けられた側壁５３３Ａの上部に形成されている。さらに、固定面５３４Ｅは、赤色光を反射する反射ミラー４３４が挿入される溝部５３３Ｆの外側に設けられた側壁５３３Ｂの上部に形成されている。
【００３２】
各固定面５３４Ａ〜５３４Ｅには、詳しくは後述するが、蓋状部材６を固定するためのタッピングねじであるねじ６１が取り付けられる穴５３４１が形成されており、蓋状部材６はこれらの５箇所の固定面５３４Ａ〜５３４Ｅで部品収納部５３にねじ固定される。そして、本実施形態では、これらの固定面５３４Ａ〜５３４Ｅの内側（開口５Ａ側）には、蓋状部材６が部品収納部５３に固定される際に、蓋状部材６を支持するとともに、固定面５３４Ａ〜５３４Ｅと開口５Ａとを仕切るリブ５３２１が立設されている。
【００３３】
蓋状部材６は、開口５Ａと略同じ形状に形成されており、蓋状部材６における固定面５３４Ａ〜５３４Ｅに対応する位置には、それぞれ対向面６２Ａ，６２Ｂ，６２Ｃ，６２Ｄ，６２Ｅが形成されている。これらの各対向面６２Ａ〜６２Ｅには、穴５３４１に対応する位置に、ねじ６１が挿通する孔６２１（図４および図５参照）が形成されている。そして、蓋状部材６は、開口５Ａを塞ぐように部品収納部５３を覆った状態で、孔６２１にねじ６１が挿入され、当該ねじ６１が穴５３４１に取り付けられることにより、部品収納部５３に固定される。この際、リブ５３２１により、固定面５３４Ａ〜５３４Ｅと部品収納部５３の開口５Ａとは断絶される。
【００３４】
以下、固定面５３４Ａを例に、固定面５３４Ａ〜５３４Ｅおよびリブ５３２１の具体的な構成について説明する。
図４は、固定面５３４Ａにおける光学部品用筐体４５の断面図である。
図２〜図４に示すように、部品収納部５３において、第１レンズアレイ４１２が挿入される溝部５３３Ａと、第２レンズアレイ４１３が挿入される溝部５３３Ｂとの間に位置する側壁５３２Ａの上部に設けられた固定面５３４Ａは、側壁５３２Ａの内側に、平面視略半円状に突出して形成され、当該固定面５３４Ａには、穴５３４１が形成されている。また、固定面５３４Ａの内側、すなわち、固定面５３４Ａにおける開口５Ａの端縁に沿ってリブ５３２１が立設されており、当該リブ５３２１は、蓋状部材６を支持するとともに、固定面５３４Ａと開口５Ａとを断絶する。
【００３５】
蓋状部材６の固定面５３４Ａに対応する位置には、図２および図４に示すように、固定面５３４Ａに近接する側に屈曲し、当該固定面５３４Ａの内側に立設されたリブ５３２１と係合する係合部６３が形成されている。この係合部６３は、蓋状部材６から垂下する係合壁６３１と、係合壁６３１の下端から水平方向に延出し、平面視略半円状に形成された対向面６２Ａとから構成されている。この対向面６２Ａは、蓋状部材６が部品収納部５３に固定された際に、固定面５３４Ａと１〜２ｍｍ程度の若干の隙間を形成するように形成されている。また、この対向面６２Ａには、固定面５３４Ａの穴５３４１に対応する位置に、孔６２１が形成されている。
【００３６】
このように、蓋状部材６に係合部６３が設けられていることにより、この係合部６３と固定面５３４Ａの内側に立設されたリブ５３２１とを係合することで、蓋状部材６を部品収納部５３に対して容易に位置決めすることができる。ところで、蓋状部材６を部品収納部５３に被せた後、ねじ６１を孔６２１に挿入し、当該ねじ６１を穴５３４１に取り付けることにより、蓋状部材６を部品収納部５３に固定するのだが、この際、合成樹脂製の部品収納部５３に形成された穴５３４１からは、タッピングねじであるねじ６１が取り付けられることにより、繊維状や塵状等の微細な粉塵が発生する。
【００３７】
ここで、第１レンズアレイ４１２および第２レンズアレイ４１３は、一般的に略矩形に形成されており、蓋状部材６が部品収納部５３に固定された際には、第１レンズアレイ４１２および第２レンズアレイ４１３間の空間は略密閉される。そのため、固定面５３４Ａ（および固定面５３４Ａと同様の構成の後述する固定面５３４Ｂ）からこの空間内に進入した粉塵は、この空間内に閉じ込められることになるので、従来、第１レンズアレイ４１２および第２レンズアレイ４１３には、特に粉塵が付着しやすく、形成される画像の輝度が低下したり、粉塵の影が投射画像に含まれる等の画像劣化が生じることがあった。
【００３８】
これに対し、本実施形態の光学部品用筐体４５では、固定面５３４Ａの内側には、蓋状部材６が部品収納部５３に固定される際に、蓋状部材６を支持し、かつ、固定面５３４Ａと開口５Ａとを仕切るリブ５３２１が立設されているので、粉塵が光学部品用筐体４５内に侵入することを防ぐことができる。従って、従来、第１レンズアレイ４１２および第２レンズアレイ４１３に粉塵が付着することにより引き起こされていた形成画像の輝度の低下を防ぎ、また、粉塵の影が投射画像に含まれる等の画像劣化を防ぐことができる。
なお、この固定面５３４Ａと水平方向に対向する位置に設けられた固定面５３４Ｂ、固定面５３４Ｂの内側に設けられたリブ５３２１、および対向面６２Ｂも、これらの固定面５３４Ａ、リブ５３２１、および対向面６２Ａと同様に構成されている。
【００３９】
図５は、固定面５３４Ｃにおける光学部品用筐体４５の断面図である。
図２および図５の固定面５３４Ｃを例として示すように、各固定面５３４Ｃ〜５３４Ｅに対応する位置に形成された蓋状部材６の対向面６２Ｃ〜６２Ｅは、固定面５３４Ｃ〜５３４Ｅ側に屈曲してはおらず、蓋状部材６の開口５Ａと対向する部分から水平に延設されている。また、前述の固定面５３４Ａおよび対向面６２Ａと同様に、各固定面５３４Ｃ〜５３４Ｅと対向面６２Ｃ〜６２Ｅとの間にも、蓋状部材６を部品収納部５３に固定した状態において、若干の隙間が形成されており、当該隙間は、光学部品用筐体４５の外側に連通している。
【００４０】
以上のような本実施形態のプロジェクタ１によれば、以下の効果を奏することができる。
すなわち、本実施形態の光学部品用筐体４５では、固定面５３４Ａ〜５３４Ｅの内側には、蓋状部材６が部品収納部５３に固定される際に、蓋状部材６を支持するとともに固定面５３４Ａ〜５３４Ｅと開口５Ａとを仕切るリブ５３２１が立設されているので、蓋状部材６が部品収納部５３に固定される際に、このリブ５３２１により、固定面５３４Ａ〜５３４Ｅと開口５Ａとを仕切ることができ、粉塵が光学部品用筐体４５内に侵入することを防ぐことができる。
なお、この効果は、第１レンズアレイ４１２が挿入される溝部５３３Ａと、第２レンズアレイ４１３が挿入される溝部５３３Ｂとの間に位置する側壁５３２Ａ，５３２Ｂの上部、すなわち、従来、第１レンズアレイ４１２および第２レンズアレイ４１３に粉塵を付着させ、画像劣化等の問題を引き起こしやすかった位置に形成された固定面５３４Ａ，５３４Ｂ、およびこの固定面５３４Ａ，５３４Ｂの内側に立設されたリブ５３２１において特に有効に奏することができる。
【００４１】
ここで、固定面５３４Ａ〜５３４Ｅと対向面６２Ａ〜６２Ｅとが当接する構成の場合、蓋状部材６を部品収納部５３に固定した際に穴５３４１から発生する粉塵は、固定面５３４Ａ〜５３４Ｅと対向面６２Ａ〜６２Ｅとの間に挟まってしまう。このような場合、分解のため蓋状部材６を開けた際に粉塵が飛散して光学部品４１〜４４に付着してしまう等の問題が生じることがある。
これに対し、本実施形態の光学部品用筐体４５では、固定面５３４Ａ〜５３４Ｅと対向面６２Ａ〜６２Ｅとの間には若干の隙間が形成されるので、ねじ固定の際に穴５３４１から発生した粉塵は当該隙間に堆積することとなる。そして、この隙間は、光学部品用筐体４５の外側に連通しているので、部品収納部材５と蓋状部材６とをねじ固定した後、これらの粉塵をエアブロー等で容易に除去することができる。従って、光学部品用筐体４５の内部に粉塵が侵入することを確実に防止することができる。
【００４２】
蓋状部材６の固定面５３４Ａに対応する位置には、固定面５３４Ａに近接する側に屈曲し、当該固定面５３４Ａの内側に立設されたリブ５３２１と係合する係合部６３が設けられているので、この係合部６３をリブ５３２１に係合することで、蓋状部材６を部品収納部５３に対して容易に位置決めすることができる。
本実施形態のプロジェクタ１では、ねじ固定の際に発生する粉塵が内部に侵入することを防止できる光学部品用筐体４５が用いられているので、光学部品４１〜４３に粉塵が付着することを防止することができ、形成される画像の輝度の低下を防ぐことができ、また、粉塵の影が投射画像に含まれる等の画像劣化を防ぐことができる。
【００４３】
（４）実施形態の変形
なお、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００４４】
すなわち、前記実施形態では、固定面５３４Ａ〜５３４Ｅと対向面６２Ａ〜６２Ｅとの間には隙間が形成されていたが、固定面５３４Ａ〜５３４Ｅと対向面６２Ａ〜６２Ｅとは当接していてもよく、隙間は形成されていなくてもよい。
また、固定面５３４Ａ〜５３４Ｅが形成される位置は、前記実施形態の位置に限らず、側壁５３２の上部において適宜な位置に形成されていてよい。
さらに、前記実施形態では、部品収納部５３の５箇所に固定面５３４Ａ〜５３４Ｅが形成され、蓋状部材６はこれらの５箇所で部品収納部５３に固定されていたが、蓋状部材６を部品収納部５３に固定することができれば、固定面の数および位置は、適宜設定してよい。
前記実施形態では、ねじ６１としてタッピングねじが用いられていたが、ねじ６１としては、穴５３４１に予め雌ねじを切り、この雌ねじに対応する雄ねじを用いてもよい。
【００４５】
前記実施形態では、３つの液晶パネル４４１Ｒ，４４１Ｇ，４４１Ｂを用いたプロジェクタ１の例のみを挙げたが、本発明の光学部品用筐体４５は、１つの液晶パネルのみを用いたプロジェクタ、２つの液晶パネルを用いたプロジェクタ、あるいは、４つ以上の液晶パネルを用いたプロジェクタにも適用可能である。
前記実施形態では、光入射面と光射出面とが異なる透過型の液晶パネルを用いていたが、光入射面と光射出面とが同一となる反射型の液晶パネルを用いてもよい。
【００４６】
前記実施形態では、光変調装置として液晶パネル用いていたが、本発明の光学部品用筐体４５は、マイクロミラーを用いたデバイスなど液晶以外の光変調装置を用いたプロジェクタにも用いることができる。
さらに、前記実施形態では、スクリーンを観察する方向から投射を行なうフロントタイプのプロジェクタ１の例を挙げたが、本発明の光学部品用筐体４５は、スクリーンを観察する方向とは反対側から投射を行なうリアタイプのプロジェクタにも適用可能である。
【産業上の利用可能性】
【００４７】
本発明は、光学部品を内部に収納する部品収納部材と、蓋状部材とを備えて構成され、これらがねじにより固定される光学部品用筐体に利用でき、特にプロジェクタに好適に利用できる。
【図面の簡単な説明】
【００４８】
【図１】本発明の一実施形態に係るプロジェクタの概略構成を示す模式図。
【図２】前記実施形態における光学部品用筐体の斜視図。
【図３】前記実施形態における部品収納部材の斜視図。
【図４】前記実施形態における固定面での光学部品用筐体の断面図。
【図５】前記実施形態における前記固定面とは異なる固定面での光学部品用筐体の断面図。
【符号の説明】
【００４９】
１…プロジェクタ、３…投射レンズ（投射光学装置）、５…部品収納部材、５Ａ…開口、６…蓋状部材、４０…光源装置、４１…照明光学装置（光学部品）、４２…色分離光学装置（光学部品）、４３…リレー光学装置（光学部品）、４５…光学部品用筐体、６１…ねじ、４４１…液晶パネル（光変調装置）、５３４Ａ〜５３４Ｅ…固定面、５３２１…リブ、５３４１…穴。
【図１】
2008089864.tif 000003
【図２】
2008089864.tif 000004
【図３】
2008089864.tif 000005
【図４】
2008089864.tif 000006
【図５】
2008089864.tif 000007